【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
円筒形支持体と、前記支持体の内面とは反対側で前記支持体に隣接する組成層とを備えた感光性要素から印刷版を形成する装置であって、前記組成層は部分的に液化することができ、
前記円筒形支持体の内面の第１部分と接触することによって、前記感光性要素を支持する第１手段と、
前記第１部分とは異なる前記円筒形支持体の前記内面の第２部分と接触することによって、前記感光性要素を支持する第２手段とを備え、前記円筒形支持体が、前記第１部分と前記第２部分との間に１つまたは複数の支持されていない部分を有し、さらに、
前記要素にレリーフ表面を形成するために、前記支持体とは反対側の前記感光性要素の外面を処理する手段を備える装置。
【請求項２】
前記処理手段が、現像媒体を前記外面に接触させる手段と、前記組成層の外面を、前記層の一部を液化させるのに十分な温度まで加熱する手段とを備えることを特徴とする請求項１に記載の装置。
【請求項３】
円筒形支持体と、前記支持体の内面とは反対側で前記支持体上にある組成層とを備えた感光性要素から印刷版を形成するプロセスであって、前記組成層は部分的に液化することができ、
前記円筒形支持体の前記内面の第１部分を第１支持部材と接触させ、前記第１部分とは異なる前記円筒形支持体の前記内面の第２部分を第２支持部材と接触させることによって前記感光性要素を支持することを含み、前記円筒形支持体が、前記第１部分と前記第２部分の間に１つまたは複数の支持されていない部分を有し、さらに、
レリーフ表面を形成するために、前記支持体とは反対側の前記感光性要素の外面を処理することを含むプロセス。
【請求項４】
前記処理することが、現像媒体を前記外面に接触させることと、前記組成層の外面を、前記層の一部を液化させるのに十分な温度まで加熱することとを含むことを特徴とする請求項３に記載のプロセス。
【請求項５】
さらに、支持および処理の前に、前記感光性要素の像面を化学線に露光することを含むことを特徴とする請求項３に記載のプロセス。
【請求項６】
請求項５の前記プロセスによって生成された円筒形フレキソ印刷版。
【手続補正２】
【補正対象書類名】明細書
【補正対象項目名】００８４
【補正方法】変更
【補正の内容】
【００８４】
光重合プロセスが完全であり、このように形成したフレキソ印刷版が印刷および保管中に安定したままであることを保証するために、現像ステップの後、感光性要素を均一に後露光することができる。この後露光ステップは、像面の主要露光と同じ放射線源を使用することができる。さらに、フレキソ印刷版の表面がなお粘着質である場合は、粘着性除去処理を適用することができる。このような方法は、「仕上げ」とも呼ばれ、当技術分野でよく知られている。例えば、粘着性は、フレキソ印刷版を硼素または塩素の溶液で処理することによって解消することができる。粘着性除去は、３００ｎｍを超えない波長を有するＵＶ放射線源に露光して実行することが好ましい。このいわゆる「光仕上げ」が、欧州特許出願公報第００１７９２７号明細書および特許文献４７で開示されている。様々な仕上げ方法を組み合わせてもよい。通常、後露光および仕上げの露光は、両方の放射線源を有する露光装置を使用して、感光性要素で同時に実行する。
以下に、本発明の好ましい態様を示す。
［１］
円筒形支持体と、前記支持体の内面とは反対側で前記支持体に隣接する組成層とを備えた感光性要素から印刷版を形成する装置であって、前記組成層は部分的に液化することができ、
前記円筒形支持体の内面の第１部分と接触することによって、前記感光性要素を支持する第１手段と、
前記第１部分とは異なる前記円筒形支持体の前記内面の第２部分と接触することによって、前記感光性要素を支持する第２手段とを備え、前記円筒形支持体が、前記第１部分と前記第２部分との間に１つまたは複数の支持されていない部分を有し、さらに、
前記要素にレリーフ表面を形成するために、前記支持体とは反対側の前記感光性要素の外面を処理する手段を備える装置。
［２］
さらに、前記組成層を、前記層の一部を液化させるのに十分な温度まで加熱する手段を備えることを特徴とする［１］に記載の装置。
［３］
前記処理手段が、現像媒体を前記外面に接触させる手段を備えることを特徴とする［１］に記載の装置。
［４］
前記接触手段が、前記現像媒体を前記要素の前記外面に供給する手段を備えることを特徴とする［３］に記載の装置。
［５］
前記接触手段が、前記要素の前記外面を前記現像媒体に送出する手段を備えることを特徴とする［３］に記載の装置。
［６］
前記現像媒体が、前記第１支持手段に隣接する前記外面と接触することを特徴とする［３］に記載の装置。
［７］
さらに、前記感光性要素を前記現像媒体から分離する手段を備えることを特徴とする［３］に記載の装置。
［８］
さらに、
前記感光性要素と現像媒体とを、液化した前記材料の少なくとも一部が前記現像媒体によって吸収されるのに十分な圧力で押しつけて接触させる手段を備えることを特徴とする［２］に記載の装置。
［９］
さらに、前記組成層を、前記層の一部を液化するのに十分な温度まで加熱する手段を備え、前記処理手段が、空気流、液体流、および真空で構成されたグループから選択されることを特徴とする［１］１に記載の装置。
［１０］
前記第１部分および前記第２部分が、相互に対向するか、ほぼ対向することを特徴とする［１］に記載の装置。
［１１］
さらに、前記第１手段と前記第２手段の間に相対的運動を提供する手段を備えることを特徴とする［１］に記載の装置。
［１２］
前記第１手段が静止し、前記第２手段が前記第１手段に対して動作可能であることを特徴とする［１］に記載の装置。
［１３］
さらに、前記第２支持手段を移動する手段を備えることを特徴とする［１］に記載の装置。
［１４］
さらに、前記装置に旋回自在に装着された一方端部、および前記第２支持手段の端部と係合する反対側の端部を有するアームを備えた可動アセンブリと、前記アームに結合した起動装置とを備えた、前記第２支持手段を移動する手段を備えることを特徴とする［１］に記載の装置。
［１５］
さらに、前記第１手段と第２手段の間で前記円筒形支持体に張力を与える手段を備えることを特徴とする［１］に記載の装置。
［１６］
さらに、前記第１支持手段および前記第２支持手段の周囲で前記円筒形支持体を装填し、下ろす手段を備えることを特徴とする［１］に記載の装置。
［１７］
さらに、前記第１支持手段と、前記外面に現像媒体を供給する手段との間に相対的運動を提供する手段を備えることを特徴とする［１］に記載の装置。
［１８］
さらに、自身上に装着された少なくとも前記第１支持手段を有する可動台と、前記可動台を移動させ、それによって前記処理手段に対して前記第１支持手段を位置決めするために回転する電動機駆動のスピンドルとを備えた可動台アセンブリを備えることを特徴とする［１］に記載の装置。
［１９］
前記感光性要素が軸方向長さを有し、前記第１手段が、前記要素の前記軸方向長さに沿って前記第１部分を支持することを特徴とする［１］に記載の装置。
［２０］
前記感光性要素が軸方向長さを有し、前記第２手段が、前記軸方向長さに沿って前記第２部分を支持することを特徴とする［１］に記載の装置。
［２１］
前記第１支持手段がローラを備えることを特徴とする［１］に記載の装置。
［２２］
さらに、前記ローラを回転する手段を備えることを特徴とする［２１］に記載の装置。
［２３］
前記ローラが外周面を有し、前記装置がさらに、前記外面の前記周を増加させる手段を備えることを特徴とする［２１］に記載の装置。
［２４］
前記ローラが、前記ローラの外周面に空気を供給する半径方向の通路を有する空気シャフトであることを特徴とする［２１］に記載の装置。
［２５］
さらに、前記空気シャフトに装着したアダプタスリーブを備えることを特徴とする［２４］に記載の装置。
［２６］
前記アダプタスリーブが弾性層を備えることを特徴とする［２５］に記載の装置。
［２７］
前記アダプタスリーブが、最外周面として弾性層を備えることを特徴とする［２５］に記載の装置。
［２８］
前記第２支持手段が、前記第２部分に接触する弓形を有する外面を有することを特徴とする［１］に記載の装置。
［２９］
前記第２支持手段が、ローラおよび台部材で構成したグループから選択されることを特徴とする［１］に記載の装置。
［３０］
前記第２支持手段が、弓形外面を有する台部材を備えることを特徴とする［１］に記載の装置。
［３１］
前記台部材の前記外面が固定した曲率を有することを特徴とする［３０］に記載の装置。
［３２］
前記台部材の前記外面が、前記円筒形支持体の前記内面の曲率と一致するか、ほぼ一致する変化可能な曲率を有することを特徴とする［３０］に記載の装置。
［３３］
前記台部材が、可撓状態で相互に結合した少なくとも２つの部分に分割されることを特徴とする［３０］に記載の装置。
［３４］
前記第２支持手段の前記外面が、摩擦を軽減した材料の層であることを特徴とする［２８］に記載の装置。
［３５］
さらに、前記要素の前記外面に現像媒体を供給する手段を備え、前記供給手段が、ロールおよび非円筒形供給部材で構成したグループから選択されることを特徴とする［１］に記載の装置。
［３６］
前記非円筒形供給部材が、楕円、弓形、放物形、円形、半円形、楔形、三角形、長方形、および多角形で構成したグループから選択した断面形状を有することを特徴とする［３１］に記載の装置。
［３７］
さらに、前記組成層を、前記層の一部を液化するのに十分な温度まで加熱する手段を備え、前記加熱手段が、
現像媒体が前記層と接触する位置の隣で、前記組成層の前記外面に熱を適用する第１加熱手段と、
前記現像媒体が前記層の前記外面に接触している間に、前記現像媒体を供給する手段を、前記組成層の前記外面を加熱できる温度まで加熱する第２加熱手段と、
前記第１支持手段を、前記組成層の前記外面を加熱できる温度まで加熱する第３加熱手段と、
前記第１加熱手段と前記第２加熱手段との組み合わせと、
前記第１加熱手段と前記第３加熱手段との組み合わせと、
前記第２加熱手段と前記第３加熱手段との組み合わせと、
前記第１加熱手段と前記第２加熱手段と前記第３加熱手段との組み合わせと
で構成したグループから選択され、
前記第１加熱手段、前記第２加熱手段、および前記第３加熱手段が、個々に、または上記の組み合わせで、前記組成層の前記外面を、前記層の一部を液化させるのに十分なだけ加熱することができることを特徴とする［１］に記載の装置。
［３８］
前記第１加熱手段が赤外線加熱装置を備えることを特徴とする［３７］に記載の装置。
［３９］
さらに、前記加熱手段の温度の少なくとも１つを感知する少なくとも１つのセンサと、前記少なくとも１つの感知温度を所定の温度に維持する制御装置とを備えることを特徴とする［３７］に記載の装置。
［４０］
前記加熱手段が、前記第１加熱手段と前記第２加熱手段との組み合わせであることを特徴とする［３７］に記載の装置。
［４１］
さらに、前記感光性要素を冷却する手段を備えることを特徴とする［１］に記載の装置。
［４２］
前記冷却手段が、
前記第１支持手段を冷却する第１冷却手段と、
前記第２支持手段を冷却する第２冷却手段と、
前記第１冷却手段と前記第２冷却手段との組み合わせと
で構成したグループから選択されることを特徴とする［４１］に記載の装置。
［４３］
前記第２支持手段が、温度を制御した流体を移送する空隙を含むことを特徴とする［１］に記載の装置。
［４４］
前記温度制御流体が水であることを特徴とする［４３］に記載の装置。
［４５］
前記水が前記第２支持手段の外面を冷却し、それによって前記円筒形支持体の前記内面の前記第２部分を冷却することを特徴とする［４４］に記載の装置。
［４６］
前記水が、前記第２支持手段の外面を加熱し、それによって前記円筒形支持体の前記内面の前記第２部分を加熱することを特徴とする［４４］に記載の装置。
［４７］
さらに、
前記組成層を、前記層の一部を液化させるのに十分な温度まで加熱する手段と、
現像媒体を前記外面と接触させる手段とを備える、［１］に記載の装置。
［４８］
前記第１支持手段がローラであり、前記接触手段が、前記現像媒体のウェブを供給するホットロールであることを特徴とする［４７］に記載の装置。
［４９］
さらに、前記ローラ上で回転する前記感光性要素の前記外面の直線速度を、前記ホットロールを移送する前記ウェブの直線速度と同期させる手段を備えることを特徴とする［４８］に記載の装置。
［５０］
前記第１支持手段および前記第２支持手段が、前記装置の第１枠に装着され、前記処理手段が前記装置の第２枠に装着され、前記第１枠および前記第２枠がそれぞれ、前記装置から取り外し可能なモジュールであることを特徴とする［１］に記載の装置。
［５１］
さらに、前記第１支持手段および前記第２支持手段の周囲で前記円筒形支持体を回転させる手段を備えることを特徴とする［１］に記載の装置。
［５２］
円筒形支持体と、前記支持体の内面とは反対側で前記支持体上にある組成層とを備えた感光性要素から印刷版を形成する装置であって、前記組成層は部分的に液化することができ、
前記内面の第１部分と接触することによって前記感光性要素を支持し、前記第１部分と接触する外面を有するローラを備える第１手段と、
前記第１部分とは異なる前記円筒形支持体の前記内面の第２部分と接触することによって、前記感光性要素を支持する第２手段とを備え、前記円筒形支持体が、前記第１部分と前記第２部分との間に１つまたは複数の支持されていない部分を有し、さらに前記第２部分と接触する弓形外面を有する台部材を備え、さらに、
現像媒体を、前記支持体とは反対側で前記感光性要素の前記外面に接触させ、供給部材を備える手段と
前記組成層の前記外面を、前記層の一部を液化させるのに十分な温度まで加熱する手段とを備える装置。
［５３］
さらに、前記ローラを回転する手段と、前記外面の直線速度を前記現像媒体のウェブの直線速度と同期させる手段とを備えることを特徴とする［５２］に記載の装置。
［５４］
さらに、前記ローラと前記台部材と前記供給部材との間に相対的運動を提供する手段を備えることを特徴とする［５２］に記載の装置。
［５５］
円筒形支持体と、前記支持体の内面とは反対側で前記支持体上にある組成層とを備えた感光性要素から印刷版を形成するプロセスであって、前記組成層は部分的に液化することができ、
前記円筒形支持体の前記内面の第１部分を第１支持部材と接触させ、前記第１部分とは異なる前記円筒形支持体の前記内面の第２部分を第２支持部材と接触させることによって前記感光性要素を支持することを含み、前記円筒形支持体が、前記第１部分と前記第２部分の間に１つまたは複数の支持されていない部分を有し、さらに、
レリーフ表面を形成するために、前記支持体とは反対側の前記感光性要素の外面を処理することを含むプロセス。
［５６］
さらに、前記組成層を、前記層の一部を液化させるのに十分な温度まで加熱することを含むことを特徴とする［５５］に記載のプロセス。
［５７］
前記処理することが、現像媒体を前記外面に接触させることを含むことを特徴とする［５５］に記載のプロセス。
［５８］
前記接触することが、前記現像媒体を前記要素の前記外面に供給することを含むことを特徴とする［５７］に記載のプロセス。
［５９］
前記接触することが、前記要素の前記外面を前記現像媒体に送出することを含むことを特徴とする［５７］に記載のプロセス。
［６０］
前記現像媒体を前記外面に前記接触することが、前記第１支持部材に隣接することを特徴とする［５７］に記載のプロセス。
［６１］
さらに、前記感光性要素を前記現像媒体から分離することを含むことを特徴とする［５７］に記載のプロセス。
［６２］
さらに、前記感光性要素と現像媒体とを、前記液化材料の少なくとも一部が前記現像媒体によって吸収されるのに十分な圧力で圧迫して、接触させることを含むことを特徴とする、［５６］に記載のプロセス。
［６３］
さらに、前記組成層を、前記層の一部を液化させるのに十分な温度まで加熱することを含み、前記処理することが、空気流、液体流、および真空で構成したグループから選択されることを特徴とする［５５］に記載のプロセス。
［６４］
前記第１部分および前記第２部分が、相互に対向するか、ほぼ対向することを特徴とする［５５］に記載のプロセス。
［６５］
さらに、前記第１支持部材と前記第２支持部材の間に相対的運動を提供することを含むことを特徴とする［５５］に記載のプロセス。
［６６］
前記第１支持部材が静止状態であり、前記第２支持部材が、前記第１支持部材に対して移動可能であることを特徴とする［５５］に記載のプロセス。
［６７］
さらに、前記第２支持部材を移動することを含むことを特徴とする［５５］に記載のプロセス。
［６８］
さらに、前記第１支持部材と前記第２支持部材の間で前記円筒形支持体に張力を加えることを含むことを特徴とする［５５］に記載のプロセス。
［６９］
さらに、前記第１支持部材と現像媒体の供給部材との間に相対的運動を提供することを含むことを特徴とする［５５］に記載のプロセス。
［７０］
前記感光性要素が軸方向長さを有し、前記第１支持部材が、前記要素の前記軸方向長さに沿って前記第１部分を支持することを特徴とする［５５］に記載のプロセス。
［７１］
前記感光性要素が軸方向長さを有し、前記第２支持部材が、前記軸方向長さに沿って前記第２部分を支持することを特徴とする［５５］に記載のプロセス。
［７２］
前記第１支持部材がローラを備えることを特徴とする［５５］に記載のプロセス。
［７３］
さらに、前記ローラを回転することを含むことを特徴とする［７２］に記載のプロセス。
［７４］
前記ローラが、前記ローラの外周面に空気を供給する半径方向通路を有する空気シャフトであることを特徴とする［７２］に記載のプロセス。
［７５］
さらに、アダプタスリーブを前記空気シャフトに装着することを含むことを特徴とする［７４］に記載のプロセス。
［７６］
前記アダプタスリーブが弾性層を備えることを特徴とする、［７５］に記載のプロセス。
［７７］
前記アダプタスリーブが、最外周面として弾性層を備えることを特徴とする［７５］に記載のプロセス。
［７８］
前記第２支持部材が、前記第２部分に接触する弓形を有する外面を有することを特徴とする、［５５］に記載のプロセス。
［７９］
前記第２支持部材が、ローラおよび台部材で構成したグループから選択されることを特徴とする［５５］に記載のプロセス。
［８０］
前記第２支持部材が、弓形外面を有する台部材を備えることを特徴とする［５５］に記載のプロセス。
［８１］
前記台部材の前記外面が固定した曲率を有することを特徴とする［８０］に記載のプロセス。
［８２］
前記台部材の前記外面が、前記円筒形支持体の前記内面の曲率と一致する、またはほぼ一致することができる変更可能な曲率を有することを特徴とする［８０］に記載のプロセス。
［８３］
前記台部材が、可撓状態で相互に結合する少なくとも２つの部分に分割されることを特徴とする［８０］に記載のプロセス。
［８４］
前記第２支持手段の前記外面が、摩擦を軽減した材料の層であることを特徴とする［７８］に記載のプロセス。
［８５］
さらに、現像部材を供給部材で前記要素の前記外面に供給することを含み、前記供給部材が、ロール、および楕円、弓形、放物形、半円形、楔形、三角形、長方形、および多角形で構成したグループから選択した断面形状を有する非円筒形供給部材で構成したグループから選択されたことを特徴とする［５５］に記載のプロセス。
［８６］
さらに、前記組成層を、前記層の一部を液化させるのに十分な温度まで加熱することを含み、前記加熱することが、
現像媒体が前記層と接触する位置の隣で、前記組成層の前記外面に熱を適用する第１加熱と、
前記現像媒体が前記層の前記外面に接触している間に、前記現像媒体を支持する供給部材を、前記組成層の前記外面を加熱できる温度まで加熱する第２加熱と、
前記第１部分に接触する前記第１支持部材を、前記組成層の前記外面を加熱できる温度まで加熱する第３加熱と、
前記第１加熱と前記第２加熱との組み合わせと、
前記第１加熱と前記第３加熱との組み合わせと、
前記第２加熱と前記第３加熱との組み合わせと、
前記第１加熱と前記第２加熱と前記第３加熱との組み合わせと
で構成したグループから選択され、
前記第１加熱、前記第２加熱、および前記第３加熱が、個々に、または上記の組み合わせで、前記組成層の前記外面を、前記層の一部を液化させるのに十分なだけ加熱することができることを特徴とする［５５］に記載のプロセス。
［８７］
前記第１加熱が赤外線加熱装置を備えることを特徴とする［８６］に記載のプロセス。
［８８］  さらに、前記第１加熱、前記第２加熱、および前記第３加熱の温度のうち少なくとも１つを感知することと、少なくとも１つの感知温度を所定の温度で維持するために制御することとを含むことを特徴とする［８６］に記載のプロセス。
［８９］
前記加熱が、前記第１加熱と前記第２加熱の組み合わせであることを特徴とする［８５］に記載のプロセス。
［９０］
さらに、前記感光性要素を冷却することを含むことを特徴とする［５５］に記載のプロセス。
［９１］
前記冷却が、
前記第１支持部材を冷却する第１冷却と、
前記第２支持部材を冷却する第２冷却と、
前記第１冷却と前記第２冷却との組み合わせと
で構成したグループから選択されることを特徴とする［９０］に記載のプロセス。
［９２］
前記第２支持部材が、温度を制御した流体を移送する空隙を含むことを特徴とする［５５］に記載のプロセス。
［９３］
前記温度制御流体が水であることを特徴とする［９２］に記載のプロセス。
［９４］
前記水が前記第２支持部材の外面を冷却し、それによって前記円筒形支持体の前記内面の前記第２部分を冷却することを特徴とする［９３］に記載のプロセス。
［９５］
前記水が前記第２支持部材の外面を加熱し、それによって前記円筒形支持体の前記内面の前記第２部分を加熱することを特徴とする［９３］に記載のプセス。
［９６］
さらに、
前記組成層を、前記層の一部を液化させるのに十分な温度まで加熱することと、
現像媒体を前記外面に接触させることとを含むことを特徴とする［５５］に記載のプロセス。
［９７］
前記第１支持部材がローラであり、前記接触ステップが、ホットロールで前記現像媒体のウェブに供給することを含むことを特徴とする［９６］に記載のプロセス。
［９８］
さらに、前記ローラ上で回転する前記感光性要素の前記外面の直線速度を、前記ホットロール上で移動する前記ウェブの直線速度と同期させることを含むことを特徴とする［９７］に記載のプロセス。
［９９］
さらに、前記第１支持部材および前記第２支持部材の周囲で前記円筒形支持体を回転することを含むことを特徴とする［５５］に記載のプロセス。
［１００］
円筒形支持体と、前記支持体の内面とは反対側で前記支持体上にある組成層とを備えた感光性要素から印刷版を形成するプロセスであって、前記組成層は部分的に液化することができ、
前記円筒形支持体の前記内面の第１部分と接触し、前記第１部分とは異なる前記円筒形支持体の前記内面の第２部分と接触することによって前記感光性要素を支持することを含み、前記円筒形支持体が、前記第１部分と前記第２部分の間に１つまたは複数の支持されていない部分を有し、さらに、
現像媒体を、前記支持体とは反対側の前記感光性要素の前記外面と接触させることと、
前記組成層の前記外面を、前記層の一部を液化させるのに十分な温度まで加熱することとを含むプロセス。
［１０１］
前記支持することが、前記第１部分と接触する外面を有するローラ上で前記第１部分を支持することと、前記第２部分と接触する弓形外面を有する台部材上で前記第２部分を支持することとを含むことを特徴とする［１００］に記載のプロセス。
［１０２］
前記接触することが、前記現像媒体のウェブを供給部材の前記外面に供給することを含むことを特徴とする［１０１］に記載のプロセス。
［１０３］
さらに、前記ローラを回転することと、前記外面の直線速度を前記現像媒体のウェブの直線速度と同期させることとを含むことを特徴とする［１０１］に記載のプロセス。
［１０４］
さらに、前記ローラと前記台部材と前記供給部材との間に相対的運動を提供することとを含むことを特徴とする［１０２］に記載のプロセス。
［１０５］
前記プロセスがさらに、前記組成層を、前記層の一部を液化させるのに十分な温度まで加熱することと、現像媒体を前記外面に接触させることとを含み、前記円筒形支持体が、前記第１支持部材および前記第２支持部材の周囲で連続的に回転し、それによって前記加熱および接触ステップを連続的に繰り返すことを特徴とする［５５］に記載のプロセス。
［１０６］
さらに、支持および処理の前に、前記感光性要素の像面を化学線に露光することを含むことを特徴とする［５５］に記載のプロセス。
［１０７］
像面の露光が、フォトツールおよび統合マスクで構成したグループから選択されたマスクを通ることを特徴とする［１０６］に記載のプロセス。
［１０８］
さらに、前記要素の前記支持体を通して化学線に露光することと、前記処理後に前記要素を化学線に後露光することと、３００ｎｍ未満の放射線に前記要素を仕上げ露光することとで構成したグループから選択した少なくとも１つの追加露光を含むことを特徴とする［５５］に記載のプロセス。
［１０９］
前記感光性要素が、前記円筒形支持体上の連続的光重合性層、前記円筒形支持体上の１つまたは複数の感光性シート、および前記組成層および前記円筒形支持体に形成した基礎支持体を備える感光性印刷版で構成したグループから選択されることを特徴とする［５５］に記載のプロセス。
［１１０］
さらに、処理中の前記第１支持部材の温度、前記第２支持部材の温度、前記現像媒体を前記外面に供給する供給部材の温度、前記供給部材と前記第１支持部材の間の圧力、および前記感光性要素の前記外面の線回転速度で構成したグループから選択したプロセスパラメータのうち少なくとも１つを変更したことを含むことを特徴とする［５５］に記載のプロセス。
［１１１］
前記組成層がエラストマであり、結合剤、少なくとも１つの単量体および光開始剤または光開始剤システムであることを特徴とする［５５］に記載のプロセス。
［１１２］
前記感光性要素がさらに、処理中に熱で除去可能である前記組成層上の少なくとも１つの追加層を備え、前記追加層が、感光性になり得るエラストマ層、第２感光性エラストマ層、剥離層、ワックス層、および赤外線感受性マスク層で構成したグループから選択され、前記組成層とは反対側の前記最外追加層の表面が、前記感光性要素の前記外面を形成することを特徴とする［５５］に記載のプロセス。
［１１３］
さらに、平面の感光性要素の対向する端部を接合して、前記円筒形支持体を形成することによって、円筒形の感光性要素を形成することを含むことを特徴とする［５５］に記載のプロセス。
［１１４］
前記接合ステップが、溶融融合、締め付け、縫合、テープ留め、接着およびステープル留めで構成したグループから選択されることを特徴とする［１１３］に記載のプロセス。
［１１５］
前記処理ステップ後に、前記プロセスがさらに前記印刷版を印刷用シリンダ上に装着することを含むことを特徴とする［５５］に記載のプロセス。
［１１６］
前記処理ステップ後に、前記プロセスがさらに、平面の印刷版を生成するために前記円筒形支持体を切削することと、前記平面印刷版を印刷用シリンダに装着することとを含むことを特徴とする［５５］に記載のプロセス。
［１１７］
［１０６］の前記プロセスによって生成された円筒形フレキソ印刷版。